(57)【要約】      （修正有）【課題】太陽光や街路灯等により周辺が明るい場合でも発光体による発光が視認しやすく且つ回転しているように視認できる道路用自発光警告装置を提供する。【解決手段】表示面３において、Ｌ値が３０以下の色調となされた無発光部２が発光体群１間に設けられることで発光体１１と無発光部２との間でコントラストが生じ、周辺が明るい状態でも発光体群１を視認することが容易となるが、更に無発光部２がＬ値で３０以下の色調となされていることで、無発光部２における発光体群１の発光場所の移動による残像をより明りょうに生じさせることができ、周辺が明るい状態でも残像現象の発生を起こりやすくして表示面３の発光が回転して発光しているように視認されるようにできる。【選択図】        図１
2006045986.tif 000002
【特許請求の範囲】
【請求項１】
発光体が配置された表示面において、前記発光体が複数集合された発光体群を、車座状に複数配置して順次点滅させることで表示面が回転しているように視認され危険箇所であることの警告がなされる自発光警告装置であって、前記表示面の、少なくとも前記発光体群間に発光体が配置されていない無発光部が設けられると共に、該無発光部の色調がＪＩＳ規格Ｚ８７３０に規定されるＬａｂ系によるＬ値において３０以下となされていることを特徴とする道路用発光警告装置。
【請求項２】
更に太陽電池と、該太陽電池により生起された電力を蓄電する蓄電手段と、前記表示面、太陽電池及び蓄電手段が一体に組み込まれる駆体とを備え、前記発光体が前記太陽電池又は前記蓄電手段からの電力により発光されるようになされたことを特徴とする請求項１に記載の道路用発光警告装置。
【発明の詳細な説明】
【技術分野】
【０００１】
本発明は、道路においてカーブ、中央分離帯や歩道の端縁部、交差点周辺、工事現場等に設置され、危険箇所であることを警告する道路用自発光警告装置に関するものである。
【背景技術】
【０００２】
道路において、視線誘導を行う自発光式の標示体としては、点滅を行うものがよく知られているが、より危険の大きい急カーブ、車道以外の端縁部分、工事現場などの危険箇所においては、発光部分が回転して視認できるようになされた警告灯がよく用いられる。これは回転灯が警告灯としてよく知られていることを利用したものであり、特許文献１や特許文献２に、複数の光源群を順次点灯及び消灯することで一定方向に回転発光しているように視認される回転灯及び点滅回転式警告灯が開示されている。
【０００３】
【特許文献１】実願平２−１２１９３２号のマイクロフィルム（実開平４−７８７０３号）
【特許文献２】実願昭６０−１０４６４６号のマイクロフィルム（実開昭６２−１２２０１号）
【発明の開示】
【発明が解決しようとする課題】
【０００４】
しかしながら、特許文献１や特許文献２に記載の如き従来の回転灯では、太陽光や街路灯等により周辺が明るい状態の場合、発光体による発光が見づらくなり、また回転しているように視認させるのには発光体群の発光場所の移動に伴い残像現象が発生することが必要であるが、発光体による発光の視認性が低下することで順次点滅しても回転しているように見えなくなる恐れがある。とりわけ特許文献１に記載の回転灯では、逆光の場所や背景が明色である場所に設置すると、その度合いは顕著なものとなる。
【０００５】
本発明は上記の如き課題に鑑みてなされたものであり、太陽光や街路灯等により周辺が明るい場合でも発光体による発光が視認しやすく且つ回転しているように視認できる道路用自発光警告装置を提供せんとするものである。
【課題を解決するための手段】
【０００６】
上記目的を達成するため、本発明は以下のような構成としている。すなわち、本発明に係わる道路用発光警告装置は、発光体が配置された表示面において、前記発光体が複数集合された発光体群を、車座状に複数配置して順次点滅させることで表示面が回転しているように視認され危険箇所であることの警告がなされる自発光警告装置であって、前記表示面の、少なくとも前記発光体群間に発光体が配置されていない無発光部が設けられると共に、該無発光部の色調がＪＩＳ規格Ｚ８７３０に規定されるＬａｂ系によるＬ値において３０以下となされていることを特徴とするものである。
【０００７】
また本発明において、更に太陽電池と、該太陽電池により生起された電力を蓄電する蓄電手段と、前記表示面、太陽電池及び蓄電手段が一体に組み込まれる駆体とを備え、前記発光体が前記太陽電池又は前記蓄電手段からの電力により発光されるようになされていれば、外部電力に頼ることなく、又は外部電力に頼る割合を少なくして警告に係わる発光を行うことができ好ましい。
【発明の効果】
【０００８】
本発明に係わる道路用自発光警告装置によれば、表示面においてＬ値が３０以下の色調となされた無発光部が発光体群間に設けられることで発光体と無発光部との間でコントラストが生じ、周辺が明るい状態でも発光体群を視認することが容易となるが、更に無発光部がＬ値で３０以下の色調となされていることで、無発光部における発光体群の発光場所の移動による残像をより明りょうに生じさせることができ、周辺が明るい状態でも残像現象の発生を起こりやすくして表示面の発光が回転して発光しているように視認されるようにできる。
【発明を実施するための最良の形態】
【０００９】
本発明に係わる最良の実施の形態について、図面に基づき以下に具体的に説明する。
【００１０】
図１は、本発明に係わる道路用自発光警告装置の、実施の一形態を示す斜視図である。道路用自発光警告装置１０は、支柱２０により保持され、前面が表示面３となされ、表示面３には発光体１１が配置されている。表示面３は、上面に取り付けられた太陽電池４と共に駆体５に一体に組み込まれている。駆体５の上面は、背面側に張り出し部５１が設けられていることで、張り出し部５１がない場合より太陽電池４の面積が大きくなるようになされている。
【００１１】
図２は、図１のＡ−Ａ断面図である。駆体５は透明なポリカーボネート樹脂を射出成形して形成され、駆体５の背面側にはアルミニウムからなる背面板７がビスＢ１により取り付けられ、駆体５と背面板７との間には中空部５２が形成されている。中空部５２中に、太陽電池４と、太陽電池４により生起された電力を蓄電する鉛シート蓄電池である蓄電手段６と、発光に係わる制御装置Ｃなどが収納され、更に発光体１１は発光基板１２に取り付けられ、発光基板１２が駆体５に固定されることで表示面３が形成される。背面板７には取付金具Ｔが取り付けられ、取付金具Ｔを用いてボルトＢ２によりＵバンドＵがボルト止めされ、ＵバンドＵを介して道路用自発光警告装置１０が支柱２０に取り付けられている。
【００１２】
ここで、太陽電池４は駆体５の上面に取り付けられ、同じく駆体５上面に設けられた張り出し部５１により太陽電池４の面積が拡大されていることで、太陽電池４による発電電力を大きくして発光体１１の長時間に亘る発光が可能となされると共に、張り出し部５１が背面側に突出されて設けられ、支柱２０が背面板７に取り付けられていることで、ＵバンドＵが緩んで道路用自発光警告装置１０がずり落ちた場合でも、張り出し部５１が支柱２０の上端に引っかかることである程度の高さに保持され、それによる道路用自発光警告装置１０の機能の喪失は防止される。
【００１３】
尚、駆体５は透明であるが、表示面３の前面側を除いて塗装が施されて内部が隠されるようになされており、駆体５が一体に成形されていることで、中空部５２に必要な機器を収納し、背面板７を取り付けることで組立が簡便に行えるようになされている。
【００１４】
図３は、表示面の詳細を示す正面図で、イ）は発光体群、ロ）は無発光部を説明するものである。まずイ）において、９個の発光体１１が表示面３の中心から拡がる扇状に配置されて発光体群１が形成され、順次点滅においては当該発光体群１の９個の発光体が同時に点灯及び消灯する。表示面３内には同一形状の発光体群１が均等に間隔をおいて８体が車座状に配置されている。また表示面３の中心には、車座状に９体の同じくＬＥＤである発光体１１が配置されて形成された中央発光部Ｌが設けられている。次にロ）において、発光体群１間には発光体１１が配置されていない無発光部２が設けられ、無発光部２は幅が略一定の帯状の形状となされている。発光基板１２の前面側は黒色（Ｌ値＝１０の色調）となされ、表示面３において発光体１１が配置された以外の部分が黒色となされることで、無発光部２の色調もＬ値＝１０の色調となされている。
【００１５】
図４は、発光体群１の発光の例を示す正面図で、白丸で記載している発光体１１が点灯しているもの、黒丸で記載している発光体１１は消灯しているものである。図中において、最初に発光する発光体群を１Ａとし、時計回りに順番にそれぞれ１Ｂ、１Ｃ・・・、１Ｈとする。まずイ）に示す如く、発光体群１Ａと、発光体群１Ａと中央発光部Ｌを挟んで反対側の発光体群１Ｅとが発光する。１体の発光体群１が回転発光するより、表示面３の中心を挟んだ２体の発光体群１が発光するほうが、表示面３の直径全体で回転を表現できることで、表示面３の発光体群１がより回転しているように視認されるようになる。
【００１６】
次にロ）に示す如く、発光体群１Ａ及び１Ｅが消灯すると共に、矢印Ｙ１に示す時計回りの方向に隣接した発光体群１Ｂ及び１Ｆが点灯する。このとき、発光体群１Ａ及び１Ｂの間の無発光部２Ａと、発光体群１Ｅ及び１Ｆの間の無発光部２Ｂとには、発光体群１の発光場所の移動による残像が生じる。更にハ）に示す如く、発光体群発光体群１Ｂ及び１Ｆが消灯すると共に、矢印Ｙ１に示す時計回りの方向に隣接した発光体群１Ｃ及び１Ｇが点灯することで、発光体群１Ｂ及び１Ｃの間の無発光部２Ｃと、発光体群１Ｆ及び１Ｇの間の無発光部２Ｄとには、発光体群１の発光場所の移動による残像が生じる。かように発光体群１が順次点滅し、発光体群１間に残像が生じることで、残像現象が発生し、あたかも発光体群１の発光が矢印Ｙ１の方向に流れるが如く見えることで、表示面３の発光が回転しているように視認されるようになる。
【００１７】
ここで無発光部２がＬ値３０以下の色調となされていることで、無発光部２が設けられていないか明色である場合と較べ、発光体群１による発光と無発光部２とのコントラストによる残像が明りょうに生じるようになり、残像現象の発生を起こりやすくしてより確実に表示面３の発光が回転して発光しているように視認させることができる。
【００１８】
発光体群１を形成する発光体１１としては、光源としての寿命が長く消費電力も小さいＬＥＤが好適に用いられるが、点滅発光が自在に行えるものであれば特に限定されず適宜の光源を用いることができる。また発光体１１が発する光の色調は、無発光部２とのコントラストが顕著となる白色のものを用いるのが好ましいが、特に限定されず赤色、黄色、緑色、青色等適宜のものを用いることができる。更にまた、中央発光部Ｌは常灯するものでもよいが、点滅発光させることで、回転と点滅との利点を併せ持つ表示面３を得ることができ好ましく、また例えば中央発光部Ｌの発光体１１の色調を赤色、発光体群１の発光体１１の色調を緑色とするなど、複数種類の色調の発光体１１を配置することで、視認する道路利用者に対して更に注意喚起を促すことができるようにしてもよい。
【実施例】
【００１９】
直径３００ｍｍの、図３に示した表示面を備え、１体の発光体が発光輝度１．２ｃｄのＬＥＤを用いている道路用自発光警告装置を用いて、晴天での昼光下における見え方試験を行った。試験は５０ｍ離れた地点から被験者１０人が表示面を視認して行った。表示面の発光が回転しているかどうかを下記の評点で表し、その平均点により評価を行う。
・明確に回転しているように見える。…３点
・辛うじて回転しているように見える。…２点
・回転しているようには見えない。…１点
【００２０】
（実施例１）
発光基板として、前面側の色調が黒色（Ｌ値＝１０）のものを用いて、本発明に係わる実施例１の道路用自発光警告装置を得た。
【００２１】
（実施例２）
発光基板として、前面側の色調が暗灰色（Ｌ値＝２５）のものを用いて、本発明に係わる実施例２の道路用自発光警告装置を得た。
【００２２】
（比較例１）
発光基板として、前面側の色調が灰色（Ｌ値＝４０）のものを用いて、比較例１に係わる道路用自発光警告装置を得た。
【００２３】
（比較例２）
発光基板として、前面側の色調が灰色（Ｌ値＝６０）のものを用いて、比較例１に係わる道路用自発光警告装置を得た。
【００２４】
実施例及び比較例の、表示面の発光が回転しているかどうかについて、表１に評点にて評価結果を示す。
【００２５】
【表１】
2006045986.tif 000003
【００２６】
実施例１ではほぼ全員が明確に回転していると視認し、実施例２についてもそれ程の評点の低下は見られないが、Ｌ値が３０を超える比較例１では平均の評点が辛うじて回転しているレベルを下回っており、比較例２では被験者のほとんどが回転していないと評価していることから、Ｌ値が２０を超えると発光体群の発光場所の移動による残像現象の発生が不足し、表示面が発光して見えにくくなることが本結果により示されている。
【図面の簡単な説明】
【００２７】
【図１】本発明に係わる道路用自発光警告装置の、実施の一形態を示す斜視図である。
【図２】図１のＡ−Ａ断面図である。
【図３】図１に示した道路用自発光警告装置の、表示面における発光体群及び無発光部を説明する正面図である。
【図４】図１に示した道路用自発光警告装置の、発光体群の発光の状態を示す正面図である。
【符号の説明】
【００２８】
１    発光体群
１１  発光体
２    無発光部
３    表示面
４    太陽電池
５    駆体
１０  道路用自発光警告装置
【図１】
2006045986.tif 000004
【図２】
2006045986.tif 000005
【図３】
2006045986.tif 000006
【図４】
2006045986.tif 000007